(57)【要約】【目的】水槽の外に設けられる外部式濾過装置で、その濾過装置からの浄化水を、多数の噴口を開口したシャワー管を通して水槽内に戻すようにしたものにおいて、シャワー管を濾過本体から外すことなく、スライダをシャワー管に沿って左右に移動させるだけで、そのシャワー管の内面を綺麗に清掃できるようにした。【構成】水槽Ｖの上面に置かれる濾過本体Ｆの下方に、その流出口１９，３０に連通するシャワー管２１を上下に移動調節できるように設け、このシャワー管２１内に清掃ブラシ５５を摺動自在に設け、また、その外周にスライダ５６を移動自在に設け、清掃ブラシ５５の両端と、スライダ５６の両端とを、左右の操作索条５９，６０によりそれぞれ連結し、スライダ５６の左右移動により、清掃ブラシ５５を左右に摺動させて、シャワー管２１の内面をブラッシング清掃できるようにした。【選択図】      図３
2004243257.tif 000002
【特許請求の範囲】
【請求項１】
水槽（Ｖ）の上部に設置される濾過本体（Ｆ）に形成した濾過室（Ｃ）内に濾過ユニット（６）を配置すると共に該濾過室（Ｃ）の給水側に吸水ユニット（Ｗ）を、またその排水側にシャワー管（２１）をそれぞれ接続し、前記吸水ユニット（Ｗ）により前記濾過室（Ｃ）内に給水した水槽（Ｖ）内の未浄化水を前記濾過ユニット（６）により濾過したのち、前記シャワー管（２１）を通して水槽（Ｖ）内に戻すようにした、濾過装置におけるシャワー管清掃装置であって、
前記シャワー管（２１）内に、清掃ブラシ（５５）をその長手方向に摺動可能に設けると共に該シャワー管（２１）の外周にスライダ（５６）をその長手方向に移動可能に設け、前記清掃ブラシ（５５）に一端を結着される左、右操作索条（５９，６０）を、前記シャワー管（２１）内を通してその外端より外部に延長させ、それらの他端を、前記スライダ（５６）に結着してなることを特徴とする、濾過装置におけるシャワー管清掃装置。
【請求項２】
前記吸水ユニット（Ｗ）より前記濾過本体（Ｆ）内に吸い上げられる未浄化水は、濾過ユニット（６）を通過しない第１の流れの水と、濾過ユニット（６）を通過する第２の流れの水とに分流され、それら第１および第２の流れの水は、前記シャワー管（２１）に合流されたのち、水槽（Ｖ）内に戻されることを特徴とする、前記請求項１記載の、濾過装置におけるシャワー管清掃装置。
【請求項３】
前記シャワー管（２１）は、濾過本体（Ｆ）に対して上下方向に位置調節可能であることを特徴とする、前記請求項１または２記載の、濾過装置におけるシャワー管清掃装置。
【発明の詳細な説明】
【０００１】
【発明の属する技術分野】
本発明は、金魚、熱帯魚、海水魚等の飼育用水槽に設けられる濾過本体を備え、水槽内の水を循環濾過するようにした、濾過装置におけるシャワー管清掃装置に関するものである。
【０００２】
【従来の技術】
一般に、水槽内で金魚、熱帯魚、海水魚等の観賞魚を飼育、育成するために、水槽内の水を濾過して浄化する濾過装置として、その濾過本体を水槽の外に設け、この濾過本体に連結されるポンプにより、水槽内の水を、その濾過本体内を強制循環させて濾過し、濾過後の水を水槽内に還流させるようにした、外部式濾過装置は公知である（たとえば、非特許文献１参照）。
【０００３】
【非特許文献１】
梅津重利著  「熱帯魚の飼い方と病気」高橋書店発行  １９９０年７月２０日  １５版発行  （ろ過装置  １０７〜１１０頁）
【０００４】
【発明が解決しようとする課題】
ところで、このような外部式濾過装置は、その主要部分である濾過本体を、水槽の外に設けることができるため、この濾過装置が水槽内の有効容積を減ずることがない上に、水槽内の景観を悪くすることがなく、しかも、濾過装置の部品交換、清掃などのメンテナンスを水槽内に手を入れずに行なうことができるなどの利点があることから、広く一般に利用されている。
【０００５】
しかしながら、従来の前記外部式濾過装置は、水槽内の未浄化水をポンプにより濾過ケース内に吸い上げ、その水の加圧水を吐出口から該濾過ケース内に設けた濾過エレメントの濾過面に直接当てて濾過したのち、水槽内に戻すようにしているため、その未濾過の水は、濾過エレメントの比較的広い面積の濾過面に均等に当てることが難しく、濾過能率が悪くなり、また、糞、残餌、葉片などの被濾過物が濾過エレメントに偏って付着し、濾過エレメントの交換、清掃頻度が多くなるという問題があり、また、ポンプからの加圧水は、その全量が濾過エレメントを通過するため、その濾過エレメントを流れる水の速度の調整ができず、濾過エレメントに好気性微生物を繁殖させるのが難しく、濾過エレメントの微生物による浄化作用（一般に水流が遅い方が好気性微生物の繁殖に好適）を充分に機能させることができないという別の問題もある。
【０００６】
そこで、本出願人は、前記問題点を解決すべく、濾過エレメントの全域に流速の等しい未浄化水を均等に通過させることができるとともに濾過エレメントに好気性微生物の繁殖を促し、全体として未浄化水の浄化能率を大幅に向上させることができるようにした新規な、濾過装置を既に提案している（特願２００２−３４３３２５）。
【０００７】
ところで、上記提案のものでは、浄化後の水をシャワー管を通して水槽に戻すことにより、▲１▼水をクラスタ化してマイナスイオンの発生を促す。▲２▼浄化後の水（エアが混入せずに浄化）を水槽内に戻す際に、シャワー管により噴出させることにより、酸素を巻き込み易くするなどの利点があるが、前記濾過装置の使用時間が長くなるにつれ、シャワー管の内面に、苔、藻、ごみなどが付着して次第に堆積するので、前記シャワー管を定期的に清掃する必要があり、前記提案のものでは、シャワー管の清掃作業に手間取るという不都合がある。
【０００８】
そこで、本発明は、シャワー管を濾過装置に取り付けたまま、ワンタッチでシャワー管の内面を簡単、容易に清掃できるようにした新規な、濾過装置におけるシャワー管清掃装置を提供することを目的とするものである。
【０００９】
【課題を解決するための手段】
前記目的達成のため、請求項１記載の発明は、水槽の上部に設置される濾過本体に形成した濾過室内に濾過ユニットを配置すると共に該濾過室の給水側に吸水ユニットを、またその排水側にシャワー管をそれぞれ接続し、前記吸水ユニットにより前記濾過室内に給水した水槽内の未浄化水を前記濾過ユニットにより濾過したのち、前記シャワー管を通して水槽内に戻すようにした、濾過装置におけるシャワー管清掃装置であって、前記シャワー管内に、清掃ブラシをその長手方向に摺動可能に設けると共に該シャワー管の外周にスライダをその長手方向に移動可能に設け、前記清掃ブラシに一端を結着される左、右操作索条を、前記シャワー管内を通してその外端より外部に延長させ、それらの他端を、前記スライダに結着してなることを特徴としており、かかる特徴によれば、シャワー管を濾過本体より外すことなく、スライダをシャワー管に沿って左右に移動させるだけで、シャワー管の内面を綺麗に清掃することができる。
【００１０】
また、前記目的達成のため、請求項２記載の発明は、前記請求項１記載のものにおいて、前記吸水ユニットより前記濾過本体に吸い上げられる未浄化水は、濾過ユニットを通過しない第１の流れの水と、濾過ユニットを通過する第２の流れの水とに分流され、それら第１および第２の流れの水は、前記シャワー管に合流されたのち、水槽内に戻されることを特徴としており、かかる特徴によれば、吸水ユニットにより吸い上げた水の全量をシャワー管より水槽内に戻すことができ、水のクラスタ化を高めてマイナスイオンの発生を促し、さらに酸素の巻き込み量を多くして、その結果水の浄化能率を一層高めることができる。
【００１１】
さらに、前記目的達成のため、請求項３記載の発明は、前記請求項１または２記載のものにおいて、前記シャワー管は、濾過ケースに対して上下方向に位置調節可能であることを特徴としており、かかる特徴によれば、水槽の水面に対する水の噴射位置の調整を自由に行なうことができる。
【００１２】
【発明の実施の形態】
以下、本発明の実施の形態を、添付図面に示した本発明の実施例に基づいて説明する。
【００１３】
図１〜１３を参照して、本発明の実施例について説明する。
【００１４】
図１は、本発明シャワー管の清掃装置を備えた外部式濾過装置を水槽にセットした場合の斜視図、図２は、図１の２矢視平面図、図３は、図２の３−３線に沿う断面図、図４は、図２の４−４線に沿う断面図、図５は、図２の５−５線に沿う断面図、図６は、図３の６−６線に沿う拡大断面図、図７は、図３の７−７線に沿う拡大断面図、図８は、図２の８−８線に沿う断面図、図９は、図２の９−９線に沿う断面図、図１０は、図２の１０−１０線に沿う断面図、図１１は、濾過本体の分解断面図、図１２は、図１３の１２−１２線に沿う濾過ユニットの平断面図、図１３は、図１２の１３−１３線に沿う断面図である。
【００１５】
図１に示すように、本実施例の外部式濾過装置は、水槽Ｖの開口上面に取外可能に設置して使用される上部式であり、水槽Ｖの開口上面に設置される濾過本体Ｆと、この濾過本体Ｆ内に水槽Ｖ内の水を強制供給する吸水ユニットＷとよりなる。
【００１６】
図１〜３に示すように、濾過本体Ｆの濾過ケース１は、ケース本体２と、その開口上面の一側にヒンジ７を以て蝶着される蓋体３とよりなり、その長さは、水槽Ｖの幅よりも短く形成されていて、ケース本体１の長さ方向の両端部には、コ字状の左右ハンガ４，５がスライド調節可能に支持され、これらのハンガ４，５を適宜の長さにスライド調整したのち、それらの両端を、水槽Ｖの左右の縁に係合することにより、濾過ケース１を、水槽Ｖの開口上面に支持することができる。
【００１７】
前記濾過ケース１に形成される濾過室Ｃ内には、後述する濾過ユニット６が着脱可能に収容され、また、濾過ケース１の長手方向の一方の端部（図１〜３の右端部）には、四角なボックス状の吸水チャンバ１１が形成されている。この吸水チャンバ１１内には、鉛直方向に延びる給水管１２が一体に設けられ、この給水管１２の下部には、吸水ユニットＷの吸水管１０が着脱可能に接続される。前記吸水ユニットＷは、動力源Ｐに接続される水中ポンプ８を有し、この水中ポンプ８の吸込口には、ストレーナ９が接続され、またその吐出口には前記吸水管１０が接続される。この吸水管１０は、吸水チャンバ１１内の前記給水管１２に接続されている。したがって、水中ポンプ８により吸い上げられた水槽Ｖ内の水は吸水管１０を経て給水管１２に送給される。図４、１１に示すように、給水管１２の上部には、上端に撮み２４ｈを設けた円筒状の分配弁２４が回転可能に設けられる。この分配弁２４は、給水管１２内を流れる水が、第１の流れの水と、第２の流れの水とに分かれて流れるように円弧状をなす第１、第２の弁口２５、２６が上下に間隔をあけて開口され、下側の第２の弁口２６は、前記給水管１２に開口した給水口１２ａと一致しており、したがって分配弁２１の回転制御により給水口１２ａの開口面積を可変調節することができる。また上側の第１の弁口２５は、図６に示すように二又状の分流管２７に連通可能であり、分配弁２４の回転制御により第１の弁口２５を開閉調節することができる。二又状の分流管２７の２  つの出口２７Ａ，２７Ｂは前記濾過室Ｃ内に臨んでいる。図６に示すように、分配弁２４を回転制御することにより分流管２７の２つの出口２７Ａ，２７Ｂより流出する水の流量を調整することができる。
【００１８】
図７に示すように、吸水チャンバ１４の底壁の一側には、流出口１９が開口され、この流出口１９は、濾過ケース１の下方に配置される、後述のシャワー管２１に連通される。このシャワー管２１は、前記濾過ケース１の下方を、略水平に延長されていて、複数の噴口２２が下向きに開口されて、後に詳しく述べるように、吸水チャンバ１４に貯留された水の一部は、濾過されることなく（濾過ユニット６へ流れることなく）前記複数の噴口２２より噴出されて、水槽Ｖ内に直接戻されるようになっている（第１の水の流れ）。
【００１９】
また、図２，６に示すように、前記二又状の分流管２７両端に開口される２つの流出口２７Ａ，２７Ｂは、前記濾過ケース１内に連通されている。そして、吸水チャンバ１１内に流入した水の一部は、流出口２７Ａ，２７Ｂを通り濾過室Ｃへと流入するようになっている（第２の水の流れ）。
【００２０】
したがって、水中ポンプ８の運転によれば、水槽Ｖ内の未浄化の水は、吸水管１０，給水管１２を通って吸水チャンバ１１に吸い上げられ、該吸水チャンバ１１内の水の一部は、分配弁２４を介して流出口１９を通り、シャワー管２１より水槽Ｖ内に直接戻される（第１の水の流れ）と共に残り水は、分流管２７の２つの流出口２７Ａ，２７Ｂを通って濾過ケース１内の濾過室Ｃに流入する（第２の水の流れ）。そして、前記流出口１９と、流出口２７Ａ，２７Ｂとに分流される水の分配流量は、分配弁２４の回動制御により無段階に調整される。
【００２１】
図１に示すように、前記分配弁２４の把手部２４ｈは、濾過ケース１の蓋体３を貫通してその外部に突出され、濾過ケース１の外から回動調整できるようになっている。
【００２２】
図１１に最も明瞭に示すように、前記濾過ケース１内の底壁には、その長手方向に沿って複数本、この実施例では３本の落差管２８が間隔をあけて立設されており、これら落差管２８は、一定の高さ（落差）を有しており、その上端は濾過ケース１内に開口され、またその下端は、濾過ケース１の底壁下面に、その長手方向に設けた排水管２９にそれぞれ連通されており、この排水管２９の下流端は、水槽Ｖ内に向けて開口する排水口３０に連通される。濾過ケース１内の濾過室Ｃに流入した水は、該室Ｃに貯留され、その水位が、前記落差管２８の高さを超えると、濾過ケース１内の貯留水は、これらの落差管２８へと流れ、そこからサイホン作用により排水管２９を通り、排水口３０からシャワー管２１を経て水槽Ｖ内に戻される。
【００２３】
図３に示すように、濾過ケース１の下流側端部、すなわち吸水ユニットＷの取付側と反対側の隅部にはドレン３２が開口され、このドレン３２には、オーバフロードレン管３３が立設される。このオーバフロードレン管３３は、前記複数の落差管２８よりも高く延びており、濾過ケース１内に貯留水が、何らかの原因で落差管２８よりも高い水位になったとき、その貯留水をこのオーバフロードレン管３３よりドレン３２を通して水槽Ｖ内に直接戻すことができるようにしてあり、これにより、貯留水が濾過ケース１の上縁を越えてオーバフローすることがない。
【００２４】
前記濾過ケース１内には、前記落差管２８の数に対応した数の複数（３個）の濾過ユニット６が着脱可能に収容されている。各濾過ユニット６は、いずれも同じ構造を有しているので、以下に、その一つについて説明するに、図１２，１３に示すように濾過ユニット６の取付フレーム３６は、外周に複数の張出片を放射方向に張り出した輪状の上部取付板３７と、八角形状に形成した下部取付板３８と、それらの両取付板３７，３８の外側に位置してそれらを連結する外側連結棒３９と、それらの外側連結棒３９と周方向に位置をずらした上下の内側連結棒棒４０とを有しており、その取付フレーム３８の外側連結棒３９および内側連結棒４０には、板状の濾過エレメント４１が交互にジグザグ状に無端に巻き付けられ、この濾過エレメント４１の内側に清浄室４２が画成される。取付フレーム３６の中心部には、中空で、多数の縦スリットを穿設した支持軸４３が設けられ、さらに、その支持軸４３の外側には、これを同心状に囲む多孔円筒体４４が設けられ、この多孔円筒体４４と支持軸４３間の環状空間内に活性炭などの浄化剤４５が収容される。取付フレーム３６の下部取付板３８には、清浄室４２に連通する多数の小孔４６が穿設されている。
【００２５】
上記のように構成される３個の濾過ユニット６は、その中心部の支持軸４３が、濾過ケース１の、前記落差管２８にそれぞれ抜差自在に差し込まれる。これにより、図１〜３に示すように、３個の濾過ユニット６は、濾過ケース１の濾過室Ｃ内の長手方向に縦列して収容される。
【００２６】
濾過ケース１の下方に、その長手方向に配置される、前記シャワー管２１は、上下に位置調節できるように支持されている。すなわち、図２，３，１０，１１に示すように、濾過ケース１の底壁には、左側端に開口した前記排水口３０と、その右側端に開口した流出口１９にそれぞれ連通する左右支持パイプ５０，５１が濾過ケース１の長手方向の同軸線上に沿って固定されており、これらの支持パイプ５０，５１に、対をなすコ字状の左右揺動パイプ５２，５３の基部が上下方向に揺動可能に摩擦支持され、これら左右の揺動パイプ５２，５３の自由端に、両端を閉じられた前記シャワー管２１の左右端部が連通接続される。これにより、前記流出管１９および排出口３０より排出された水は、左右揺動パイプ５２，５３を通ってシャワー管２１にその左右から合流して、その複数の噴口２２より、水槽Ｖ内に向けて噴出される。
【００２７】
前記シャワー管２１には、その内面をブラッシング清掃するための清掃手段が設けられる。
【００２８】
以下に、この清掃手段の構成について説明するに、図２，３，１０，１１に示すように、シャワー管２１内には、筒状の清掃ブラシ５５が、その長手方向に移動自在に収容され、一方、そのシャワー管２１の外周には、筒状のスライダ５６が摺動自在に挿嵌されている。前記スライダ５６の両端には、左右止具５７，５８を介して左右の操作索条５９，６０の一端がそれぞれ連結されている。これらの操作索条５９，６０は、シャワー管２１の外側をその長手方向に沿ってその外方に向かってそれぞれ延長され、シャワー管２１の左右両端に設けたガイド６１，６２を介してそのシャワー管２１内に入り、その中央に向かって延長されてそれらの内端が、前記清掃ブラシ５５の両端にそれぞれ連結されている。したがって、スライダ５６を把持してこれをシャワー管２１に沿って左右に往復摺動すれば、左右の操作索条５９，６０を介して清掃ブラシ５５がシャワー管２１内を左右往復摺動する。これにより、清掃ブラシ５５は、シャワー管２１の内面をブラッシング清掃することができ、該内面に付着する、苔、藻、ごみなどを取り除くことができる。図５，６に示すように、シャワー管２１の外周面には複数の噴口２２に沿って一条の凸条２１ａが形成され、前記スライダ５６の内面には、その凸条２１ａに係合する凹条５６ａが形成され、それらの係合によりスライダ５６は、回転することなくシャワー管２１に沿ってその長手方向に移動が可能である。そして通常は、このスライダ５６はシャワー管２１の中央部に位置させておく。
【００２９】
つぎに、この実施例の作用について説明する。
【００３０】
この濾過装置を使用するに当たっては、図１〜３に示すように、濾過本体Ｆの濾過ケース１の両端に設けた左右ハンガ４，５を伸縮調整して、濾過本体Ｆを水槽Ｖの開口上面に設置し、濾過ケース１内に複数の濾過ユニット６を前述のように収容する。濾過ケース１の一端には、吸水ユニットＷが懸吊支持され、該ユニットＷの水中ポンプ８を、水槽Ｖの水中内に浸漬させる。濾過ケース１の開口上面を蓋体３により閉じる。以上により、本発明にかかる上部式濾過装置は、水槽Ｖにセットされる。
【００３１】
ここで、動力源Ｐに接続される水中ポンプ８の運転により、水槽Ｖ内の未浄化水は、ストレーナ９により一次濾過されて、この水中ポンプ８により吸い上げられ、矢印ａ（図３〜５，８，９）に示すように、吸水管１０から給水管１２を通り吸水チャンバ１１に貯留される。吸水チャンバ１４内の貯留水は、矢印ｂ（図３，４）に示すように、その一部が流出口１９へ流れ（第１の水の流れ）、またその残りの水は矢印ｄ，ｅ（図５，６）に示すように、二又状の分流管２７の左右の流出口２７Ａ，２７Ｂへと分流して流れる（第２の水の流れ）。そして、第１、第２の流出口１９；２７Ａ，２７Ｂへ流れる水の流量割合は、給水管１２に設けた分配弁２４の回動調整により行なわれる。
【００３２】
一方の流出口１９に流れた水は、濾過室Ｃへ流れることなく、そのまま濾過されずにシャワー管２１へと流れ、矢印ｃ（図２，３，５，８）に示すように、複数の噴口２２より水槽Ｖに戻される（第１の水の流れ）。
【００３３】
一方、残り水は、矢印ｄ（図５〜７）に示すように、分流管２７の２つの流出口２７Ａ，２７Ｂを通って矢印ｅ（図５〜７）に示すように、濾過ケース１の濾過室Ｃ内にその長手方向に沿って流れる。
【００３４】
濾過室Ｃ内では、そこに流入した水の水位が次第に上昇して、複数の濾過ユニット６は、その下半部以上が貯留水内に浸漬された状態となる。濾過室Ｃの水位が、複数の落差管２８の高さ（落差）を超えると、その水は、その落差管２８の上縁をオーバフローして、矢印ｅに示すように、その落差管２８内を流下し、排水管２９を通って矢印ｆ（図２，３）に示すように排出口３０から前記シャワー管２１へと流れる（第２の水の流れ）。
【００３５】
以上のように、流水口１９から排出される水（濾過されることのない第１の水）と、排水口３０から排出される水（濾過された第１の水）は、矢印ｂ，ｇ（図３，４）に示すように、何れもシャワー管２１内に、その両端から流入して合流し、複数の噴口２２より、水槽Ｖ内に向けて噴出される。
【００３６】
シャワー管２１内には、そこを流れる水中に含まれる苔、藻、ごみなどの異物が付着、堆積したときには、前記スライダ５６を、シャワー管２１の長手方向に往復摺動させれば、前述したように、左右の操作索条５９，６０を介して清掃ブラシ５５はシャワー管２１内を往復摺動して、該シャワー管２１の内面をブラッシング洗浄することができる。よって、シャワー管２１内は、前記異物により、そこを流れる水の流れが悪くなったり、詰まったりする心配がない。
【００３７】
ところで、第２の流出口２７Ａ，２７Ｂから濾過室Ｃに流入した水（第２の流れの水）は、排水口３０から水槽Ｖ内に戻される過程で、濾過室Ｃに溜まった未浄化の水は、濾過ユニット６の濾過エレメント１４の濾過面の全面に接触し、前記落差管２８の存在で発生するサイホン作用に基づく吸引力により、該落差管２８内に吸引され、その間に濾過室Ｃの水は、濾過エレメント４１の全域を万遍なく通過して濾過され、さらに浄化剤４５を通過して浄化される。
【００３８】
しかして、前述したように、水中ポンプ８により吸水チャンバ１１に吸い上げられた一部の水（第１の流れの水）はシャワー管２１を通って水槽Ｖ内に直接戻されて、残りの水（第２の流れの水）が濾過ユニット６を流れるので、濾過エレメント４１を通過する水は、その流量および流速が抑えられ、その結果、濾過エレメント４１の目詰まりが少なくなると共に、その濾過エレメント４１での好気性微生物の繁殖を促進して、該濾過エレメント４１による、水の濾過作用と、好気性微生物による水の有機的浄化作用を共に高めることができる。
【００３９】
以上、本発明の実施例について説明したが、本発明はその実施例に限定されることなく、本発明の範囲内で種々の実施例が可能である。
【００４０】
たとえば、前記実施例では、シャワー管の清掃装置を、水槽の上面に載置した上部式濾過装置に実施した場合について説明したが、これを水槽の壁面に懸吊した上部式濾過装置にも実施できることは勿論である。
【００４１】
【発明の効果】
以上のように、請求項１記載の発明によれば、濾過装置におけるシャワー管清掃装置であって、前記シャワー管内に、清掃ブラシをその長手方向に摺動可能に設けると共に該シャワー管の外周にスライダをその長手方向に移動可能に設け、前記清掃ブラシに一端を結着される左、右操作索条を、前記シャワー管内を通してその外端より外部に延長させ、それらの他端を、前記スライダに結着してなるので、シャワー管を濾過本体より外すことなく、スライダをシャワー管に沿って左右に移動させるだけで、シャワー管の内面を綺麗に清掃することができる。
【００４２】
また、請求項２記載の発明によれば、前記請求項１記載のものにおいて、前記吸水ユニットより前記濾過ケース内に吸い上げられる未浄化水は、濾過ユニットを通過しない第１の流れの水と、濾過ユニットを通過する第２の流れの水とに分流され、それら第１および第２の流れの水は、前記シャワー管に合流されたのち、水槽内に戻されるので、吸水ユニットにより吸い上げた水の全量をシャワー管より水槽内に戻すことができ、水のクラスタ化を高めてマイナスイオンの発生を促し、さらに酸素の巻き込み量を多くして、その結果水の浄化能率を一層高めることができる。
【００４３】
さらに、請求項３記載の発明によれば、前記シャワー管は、濾過ケースに対して上下方向に位置調節可能であるので、水槽の水面に対する水の噴射位置の調整を自由に行なうことができる。
【図面の簡単な説明】
【図１】本発明シャワー管の清掃装置を備えた外部式濾過装置を水槽にセットした場合の斜視図
【図２】図１の２矢視平面図
【図３】図２の３−３線に沿う断面図
【図４】図２の４−４線に沿う断面図
【図５】図２の５−５線に沿う断面図
【図６】図３の６−６線に沿う拡大断面図
【図７】図３の７−７線に沿う拡大断面図
【図８】図２の８−８線に沿う断面図
【図９】図２の９−９線に沿う断面図
【図１０】図２の１０−１０線に沿う断面図
【図１１】濾過本体の分解断面図
【図１２】図１３の１２−１２線に沿う濾過ユニットの平断面図
【図１３】図１２の１３−１３線に沿う断面図
【符号の説明】
６・・・・・・・・・・・・濾過ユニット
２１・・・・・・・・・・・シャワー管
５５・・・・・・・・・・・清掃ブラシ
５６・・・・・・・・・・・スライダ
５９・・・・・・・・・・・操作索条
６０・・・・・・・・・・・操作索条
Ｃ・・・・・・・・・・・・濾過室
Ｆ・・・・・・・・・・・・濾過本体
Ｖ・・・・・・・・・・・・水槽
Ｗ・・・・・・・・・・・・吸水ユニット
【図１】
2004243257.tif 000003
【図２】
2004243257.tif 000004
【図３】
2004243257.tif 000005
【図４】
2004243257.tif 000006
【図５】
2004243257.tif 000007
【図６】
2004243257.tif 000008
【図７】
2004243257.tif 000009
【図８】
2004243257.tif 000010
【図９】
2004243257.tif 000011
【図１０】
2004243257.tif 000012
【図１１】
2004243257.tif 000013
【図１２】
2004243257.tif 000014
【図１３】
2004243257.tif 000015